(57)【要約】【課題】蓄電素子及び／又は電源関連装置の情報を、蓄電素子の接続構成に応じて提示することができる情報処理方法、情報処理システム、通信デバイス及びコンピュータプログラムを提供する。【解決手段】蓄電素子又は電源関連装置に接続されている通信デバイスは、前記蓄電素子又は電源関連装置の状態を含む情報を取得し、取得した情報に基づき、前記蓄電素子又は前記電源関連装置の他の蓄電素子又は他の電源関連装置との階層構造又は接続形態に応じた構造のデータを作成し、作成したデータを通信デバイスとの間で情報を送受信する情報処理装置へ送信し、情報処理装置は、前記通信デバイスから受信したデータの構造に基づき、複数の蓄電素子又は電源関連装置の階層構造又は接続形態に対応する形態で情報を表示させる表示情報を外部からの要求に応じて要求元へ送信する。【選択図】図１３
2019213297.tif 000002
【特許請求の範囲】
【請求項１】
蓄電素子又は電源関連装置に接続されている通信デバイスと、該通信デバイスとの間で情報を送受信する情報処理装置とで夫々情報を処理する情報処理方法であって、
前記通信デバイスは、
前記蓄電素子又は電源関連装置の状態を含む情報を取得し、
取得した情報に基づき、前記蓄電素子又は前記電源関連装置の他の蓄電素子又は他の電源関連装置との階層構造又は接続形態に応じた構造のデータを作成し、
作成したデータを前記情報処理装置へ送信し、
前記情報処理装置は、
前記通信デバイスから受信したデータの構造に基づき、前記蓄電素子又は前記電源関連装置を含む複数の蓄電素子又は電源関連装置の階層構造又は接続形態に対応する形態で、前記蓄電素子又は電源関連装置の状態を含む情報を表示させる表示情報を外部からの要求に応じて要求元へ送信する
情報処理方法。
【請求項２】
前記蓄電素子が、複数の蓄電セルを含むモジュールを複数接続して構成され、
前記通信デバイスは、前記蓄電セル及びモジュールの接続の構成に基づき階層状にデータを作成する
請求項１に記載の情報処理方法。
【請求項３】
前記蓄電素子が、複数の蓄電セルを含むモジュールを複数直列に接続したバンクを並列に接続して構成され、
前記通信デバイスは、前記バンクと、該バンクを複数並列に接続したドメインとの階層構造に基づき階層状にデータを作成する
請求項１に記載の情報処理方法。
【請求項４】
前記通信デバイスは、
前記バンク及び前記ドメインの階層のいずれに対応しているかを示す階層構造と、他の通信デバイスとの接続関係を示す情報とを含む設定情報に基づき、前記他の通信デバイスと接続されており、該他の通信デバイスで取得されて作成されるデータと重複しないデータを作成する
請求項３に記載の情報処理方法。
【請求項５】
前記情報処理装置は、
前記蓄電素子又は電源関連装置を識別する情報を示す第１アイコンを前記階層構造で表示させ、各階層を展開させる第２アイコンが選択された場合に対応する第１アイコンをツリー状に表示させる表示情報を送信する
請求項１から４のいずれか一項に記載の情報処理方法。
【請求項６】
蓄電素子又は電源関連装置に接続されている通信デバイスと、該通信デバイスとの間で情報を送受信する情報処理装置とを含む情報処理システムであって、
前記通信デバイスは、
前記蓄電素子又は電源関連装置の状態を含む情報を取得する取得部と、
取得した情報に基づき、前記蓄電素子又は前記電源関連装置の他の蓄電素子又は他の電源関連装置との階層構造又は接続形態に応じた構造のデータを作成する作成部と、
作成したデータを前記情報処理装置へ送信する送信部と
を備え、
前記情報処理装置は、
前記通信デバイスから受信したデータの構造に基づき、前記蓄電素子又は前記電源関連装置を含む複数の蓄電素子又は電源関連装置の階層構造又は接続形態に対応する形態で、前記蓄電素子又は電源関連装置の状態を含む情報を表示させる表示情報を外部からの要求に応じて要求元へ送信する表示情報送信部
を備える情報処理システム。
【請求項７】
蓄電素子又は電源関連装置に接続され、該蓄電素子又は電源関連装置と通信する通信部と、
前記通信部から得られる前記蓄電素子又は電源関連装置の状態を含む情報を取得する取得部と、
前記蓄電素子又は前記電源関連装置の他の蓄電素子又は他の電源関連装置との階層構造又は接続形態に応じた構造のデータを前記情報から作成する作成部と、
作成したデータを送信する送信部と
を備える通信デバイス。
【請求項８】
表示部を備えるコンピュータに、蓄電素子及び／又は電源関連装置の情報を受信して表示させるコンピュータプログラムであって、
前記コンピュータに、
前記蓄電素子及び／又は電源関連装置の状態を表示する表示情報を、該蓄電素子若しくは電源関連装置を含むシステム毎、又は前記蓄電素子若しくは電源関連装置が設置されている場所毎に、要求するステップ、及び
要求に応じて送信された表示情報に基づき、前記蓄電素子又は電源関連装置を識別する情報を示す第１アイコンを前記蓄電素子又は前記電源関連装置の他の蓄電素子又は他の電源関連装置との階層構造又は接続形態に応じた構造で表示させ、各階層を展開させる第２アイコンが選択された場合に対応する第１アイコンをツリー状に表示させるステップ
を実行させるコンピュータプログラム。
【発明の詳細な説明】
【技術分野】
【０００１】
本発明は、蓄電素子及び／又は電源関連装置の情報を提示する情報処理方法、情報処理システム、通信デバイス及びコンピュータプログラムに関する。
【背景技術】
【０００２】
蓄電素子は、無停電電源装置、安定化電源に含まれる直流又は交流電源装置等に広く使用されている。再生可能エネルギー又は既存の発電システムにて発電された電力を蓄電しておく大規模なシステムでの蓄電素子の利用が拡大している。
【０００３】
無停電電源装置、安定化電源、又は発電システムにおいては、蓄電素子の保守活動が重要になる。これらのシステムに含まれる蓄電素子の充電状態（ＳＯＣ：State Of Charge）、又は寿命予測の情報について、サーバ装置経由で、蓄電素子のユーザ又は保守担当者が遠隔から取得することを可能とする技術が提案されている。
【０００４】
例えば特許文献１には、蓄電素子の劣化率の予測値をサーバ装置及びネットワークを経由してオペレータが遠隔からその情報を視認することを実現するシステムが提案されている。
【０００５】
特許文献２には、無停電電源装置における蓄電素子の交換のために、サービスセンタ及びネットワークを経由してモニタリングプログラムに基づきバッテリ交換の時期を予告し、ユーザとオペレータがメール等を用いて情報を交換するシステムが開示されている。
【先行技術文献】
【特許文献】
【０００６】
【特許文献１】特開２０１５−１２１５２０号公報
【特許文献２】特開２００２−２８７８５７号公報
【発明の概要】
【発明が解決しようとする課題】
【０００７】
鉛蓄電池又はリチウムイオン電池のような蓄電素子は、車載用途（自動車用途、自動二輪車用途）以外の産業用途に適用される場面が増加している。例えば、太陽光発電システムに蓄電素子が並設されることがある。この場合、蓄電素子はパワーコンディショナと接続される。メガソーラーと呼ばれる大規模な太陽光発電システムでは、非常に多くの蓄電素子及びパワーコンディショナが設置されて利用される。工場又は大規模施設における電力ピークカットを実現する場合にも、非常に多くの蓄電素子及びパワーコンディショナが設置されて利用される。鉄道用途においても、非常に多くの蓄電素子と、直流又は交流電源装置である整流器とが設置されて利用される。従来の保守支援システムでは、分散電源システム又は事業主体にこのように多くの蓄電素子と電源関連装置が設置されるケースを想定していない。
【０００８】
ＩｏＴ（Internet of Things）の社会への浸透と平行して、蓄電素子及び電源関連装置の遠隔監視の実現と、遠隔監視に基づく利便性の高い付加価値サービスの実現に対する期待が高まっている。
【０００９】
本発明は、蓄電素子及び／又は電源関連装置の情報を、蓄電素子及び／又は電源関連装置の接続構成に応じて提示することができる情報処理方法、情報処理システム、通信デバイス及びコンピュータプログラムを提供することを目的とする。
【課題を解決するための手段】
【００１０】
情報処理方法は、蓄電素子又は電源関連装置に接続されている通信デバイスと、該通信デバイスとの間で情報を送受信する情報処理装置とで夫々情報を処理する。前記通信デバイスは、前記蓄電素子又は電源関連装置の状態を含む情報を取得し、取得した情報に基づき、前記蓄電素子又は前記電源関連装置の他の蓄電素子又は他の電源関連装置との階層構造又は接続形態に応じた構造のデータを作成し、作成したデータを前記情報処理装置へ送信する。前記情報処理装置は、前記通信デバイスから受信したデータの構造に基づき、前記蓄電素子又は前記電源関連装置を含む複数の蓄電素子又は電源関連装置の階層構造又は接続形態に対応する形態で、前記蓄電素子又は電源関連装置の状態を含む情報を表示させる表示情報を外部からの要求に応じて要求元へ送信する。
【図面の簡単な説明】
【００１１】
【図１】遠隔監視システムの概要を示す図である。
【図２】遠隔監視システムの構成を示すブロック図である。
【図３】蓄電モジュール群の階層構造及び通信デバイスの接続形態の一例を示す図である。
【図４】蓄電モジュール群の階層構造及び通信デバイスの接続形態の他の一例を示す図である。
【図５】通信デバイスの接続形態の他の一例を示す図である。
【図６】通信デバイスでの設定受付手順の一例を示すフローチャートである。
【図７】通信デバイスで記憶される設定情報の内容例を示す図である。
【図８】通信デバイスで記憶される設定情報の他の内容例を示す図である。
【図９】各通信デバイスの情報の送信手順の一例を示すフローチャートである。
【図１０】サーバ装置へ送信されるデータの内容例を示す図である。
【図１１】サーバ装置へ送信されるデータの内容例を示す図である。
【図１２】サーバ装置におけるデータ取得手順の一例を示すフローチャートである。
【図１３】サーバ装置におけるデータ取得の具体例を示す図である。
【図１４】サーバ装置により提示される画面例を示す図である。
【図１５】サーバ装置により提示される画面例を示す図である。
【図１６】サーバ装置により提示される画面例を示す図である。
【図１７】サーバ装置により提示される画面例を示す図である。
【図１８】サーバ装置により提示される画面例を示す図である。
【図１９】サーバ装置により提示される画面例を示す図である。
【図２０】グループ分けを受け付ける画面例を示す図である。
【発明を実施するための形態】
【００１２】
情報処理方法は、蓄電素子又は電源関連装置に接続されている通信デバイスと、該通信デバイスとの間で情報を送受信する情報処理装置とで夫々情報を処理する。前記通信デバイスは、前記蓄電素子又は電源関連装置の状態を含む情報を取得し、取得した情報に基づき、前記蓄電素子又は前記電源関連装置の他の蓄電素子又は他の電源関連装置との階層構造又は接続形態に応じた構造のデータを作成し、作成したデータを前記情報処理装置へ送信する。前記情報処理装置は、前記通信デバイスから受信したデータの構造に基づき、前記蓄電素子又は前記電源関連装置を含む複数の蓄電素子又は電源関連装置の階層構造又は接続形態に対応する形態で、前記蓄電素子又は電源関連装置の状態を含む情報を表示させる表示情報を外部からの要求に応じて要求元へ送信する。
【００１３】
上記構成により、通信デバイスにて作成されるデータの構造を情報処理装置で認識でき、蓄電素子又は電源関連装置の階層構造に合わせた情報の階層的な表示が可能になる。
【００１４】
前記蓄電素子が、複数の蓄電セルを含むモジュールを複数接続して構成される場合、前記通信デバイスは、前記蓄電セル及びモジュールの接続の構成に基づき階層状にデータを作成するとよい。蓄電素子が、複数の蓄電セルを夫々含む複数のモジュールを含む場合、データは例えば以下のようになる。１つのデータ（フォルダ／ディレクトリ）が複数のモジュールに夫々対応する複数のデータ（ファイル）を含み、各データが更に複数の蓄電セルのデータを含むという階層状のデータである。
【００１５】
前記蓄電素子が、複数の蓄電セルを含むモジュールを複数直列に接続したバンクを並列に接続して構成される場合、蓄電素子の階層構造が具体的に以下のようになるとよい。１つのデータ（フォルダ／ディレクトリ）が、並列したバンクに対応する複数のデータ（フォルダ／ディレクトリ）を含む。各データ（フォルダ／ディレクトリ）が、バンクに所属する複数のモジュールに対応する複数のデータ（ファイル）を含み、この複数のデータ（ファイル）が更に複数の蓄電セルのデータを含むという階層状のデータである。
【００１６】
蓄電素子又は電源関連装置の階層構造に応じて、複数の通信デバイスが異なる階層で使用されてもよい。この場合、各通信デバイスは、下位層又は上位層に対応する他の通信デバイスと重複しないデータを作成して送信することが好ましい。上記構成により、データの通信負荷を軽減し、通信デバイスの処理負荷を軽減できる。
【００１７】
情報処理装置から提供される表示情報には、蓄電素子又は電源関連装置の階層構造に合わせて各蓄電素子又は電源関連装置を示す第１アイコンを表示させる情報が含まれる。第１アイコンは、階層構造に対応させてツリー状に表示されるが、第２アイコンの選択／非選択に応じてツリーの一部又は全部を畳んで非表示にすることも可能である。
【００１８】
情報処理システムは、蓄電素子又は電源関連装置に接続されている通信デバイスと、該通信デバイスとの間で情報を送受信する情報処理装置とを含む。前記通信デバイスは、前記蓄電素子又は電源関連装置の状態を含む情報を取得する取得部と、取得した情報に基づき、前記蓄電素子又は前記電源関連装置の他の蓄電素子又は他の電源関連装置との階層構造又は接続形態に応じた構造のデータを作成する作成部と、作成したデータを前記情報処理装置へ送信する送信部とを備える。前記情報処理装置は、前記通信デバイスから受信したデータの構造に基づき、前記蓄電素子又は前記電源関連装置を含む複数の蓄電素子又は電源関連装置の階層構造又は接続形態に対応する形態で、前記蓄電素子又は電源関連装置の状態を含む情報を表示させる表示情報を外部からの要求に応じて要求元へ送信する表示情報送信部を備える。
【００１９】
通信デバイスは、蓄電素子又は電源関連装置に接続され、該蓄電素子又は電源関連装置と通信する通信部と、前記通信部から得られる前記蓄電素子又は電源関連装置の状態を含む情報を取得する取得部と、前記蓄電素子又は前記電源関連装置の他の蓄電素子又は他の電源関連装置との階層構造又は接続形態に応じた構造のデータを前記情報から作成する作成部と、作成したデータを送信する送信部とを備える。
【００２０】
コンピュータプログラムは、表示部を備えるコンピュータに、蓄電素子及び電源関連装置の情報を受信して表示させる。コンピュータプログラムは、前記コンピュータに、前記蓄電素子及び電源関連装置の状態を表示する表示情報を、該蓄電素子若しくは電源関連装置を含むシステム毎、又は前記蓄電素子若しくは電源関連装置が設置されている場所毎に、要求するステップ、及び要求に応じて送信された表示情報に基づき、前記蓄電素子又は電源関連装置を識別する情報を示す第１アイコンを前記階層構造で表示させ、各階層を展開させる第２アイコンが選択された場合に対応する第１アイコンをツリー状に表示させるステップを実行させる。
【００２１】
本発明をその実施の形態を示す図面を参照して具体的に説明する。
【００２２】
図１は、遠隔監視システム１００の概要を示す図である。遠隔監視システム１００は、メガソーラー発電システムＳ、火力発電システムＦ、風力発電システムＷに含まれる蓄電素子及び電源関連装置に関する情報への遠隔からのアクセスを可能とする。無停電電源装置（ＵＰＳ：Uninterruptible Power Supply）Ｕ、鉄道用の安定化電源システム等に配設される整流器（直流電源装置、又は交流電源装置）Ｄも遠隔監視される。
【００２３】
メガソーラー発電システムＳ、火力発電システムＦ及び風力発電システムＷには、パワーコンディショナ（ＰＣＳ：Power Conditioning System ）Ｐ及び蓄電システム１０１が並設されている。蓄電システム１０１は、蓄電モジュール群Ｌを収容したコンテナＣを複数並設して構成されている。蓄電モジュール群Ｌは、複数の蓄電素子を含む。蓄電素子は、鉛蓄電池及びリチウムイオン電池のような二次電池や、キャパシタのような、再充電可能なものであることが好ましい。蓄電素子の一部が、再充電不可能な一次電池であってもよい。
【００２４】
遠隔監視システム１００では、監視対象となるシステムＳ，Ｆ，Ｗにおける蓄電システム１０１、又は装置（Ｐ，Ｕ，Ｄおよび後述の管理装置Ｍ）夫々に、通信デバイス１（図２参照）が搭載／接続される。遠隔監視システム１００は、通信デバイス１と、通信デバイス１から情報を収集するサーバ装置２（情報処理装置）と、収集された情報を閲覧するためのクライアント装置３（通信端末装置）と、装置間の通信媒体であるネットワークＮとを含む。
【００２５】
通信デバイス１は、蓄電素子に備えられる電池管理装置（ＢＭＵ：Battery Management Unit ）と通信して蓄電素子の情報を受信する端末装置（計測モニタ）であってもよいし、ECHONET ／ECHONETLite （登録商標）対応のコントローラであってもよい。通信デバイス１は、独立したデバイスであってもよいし、パワーコンディショナＰや蓄電モジュール群Ｌに搭載可能なネットワークカード型のデバイスであってもよい。通信デバイス１は、蓄電システム１０１における蓄電モジュール群Ｌの情報を取得すべく、複数の蓄電モジュールからなるグループ毎に１つずつ設けられている。パワーコンディショナＰは複数台でシリアル通信が可能に接続されており、通信デバイス１は、いずれか代表となるパワーコンディショナＰの制御ユニットに接続されている。
【００２６】
サーバ装置２はＷｅｂサーバ機能を含み、監視対象の各装置に搭載／接続された通信デバイス１から得られる情報を、クライアント装置３からのアクセスに応じて提示する（表示情報送信部）。通信デバイス１もＷｅｂサーバ機能を含み、クライアント装置からのアクセスに応じて通信デバイス１の設定を行なうためのインタフェースをＷｅｂベースで有している。サーバ装置２が情報を提示するインタフェースには、通信デバイス１のインタフェースへのリンクが含まれ、クライアント装置３は通信デバイス１と直接的に通信接続して遠隔からの通信デバイス１の操作が可能である。
【００２７】
ネットワークＮは、所謂インターネットである公衆通信網Ｎ１と、所定の移動通信規格による無線通信を実現するキャリアネットワークＮ２とを含む。公衆通信網Ｎ１は、一般光回線を含み、ネットワークＮは、サーバ装置２が接続する専用線を含む。ネットワークＮは、ECHONET ／ECHONETLite 対応のネットワークを含んでもよい。キャリアネットワークＮ２には基地局ＢＳが含まれ、クライアント装置３は基地局ＢＳからネットワークＮを介したサーバ装置２との通信が可能である。公衆通信網Ｎ１にはアクセスポイントＡＰが接続されており、クライアント装置３はアクセスポイントＡＰからネットワークＮを介してサーバ装置２との間で情報を送受信することができる。
【００２８】
このように遠隔監視システム１００は、監視対象の各装置に搭載又は接続した通信デバイス１を利用し、蓄電システム１０１における蓄電素子のＳＯＣ、ＳＯＨ（State Of Health ）等の状態、装置で検知された異常といった情報を、サーバ装置２が収集する。収集された情報は、サーバ装置２を介して一括で提示される。
【００２９】
図２に示すように、通信デバイス１は、制御部１０、記憶部１１、第１通信部１２及び第２通信部１３を備える。制御部１０はＣＰＵ（Central Processing Unit ）を用いたプロセッサであり、内蔵するＲＯＭ（Read Only Memory）及びＲＡＭ（Random Access Memory）等のメモリを用い、各構成部を制御して処理を実行する。
【００３０】
記憶部１１は、フラッシュメモリ等の不揮発性メモリを用いる。記憶部１１には、制御部１０が読み出して実行するデバイスプログラム１Ｐが記憶されている。デバイスプログラム１Ｐには、Linux （登録商標）等を用いた組み込み系ＯＳ（Operating System）、ＯＳ上で動作するＷｅｂサーバ、ＳＳＨ（Secure Shell）、ＳＮＭＰ（Simple Network Management Protocol）等に準じた通信用プログラムが含まれる。デバイスプログラム１Ｐは、記録媒体４に記憶してあるデバイスプログラム４Ｐを読み出して記憶部１１に複製したものであってもよい。デバイスプログラム１Ｐにはメーラプログラムが含まれてもよく、異常が発生した場合に、予め設定されてあるメールアドレスへ向けて電子メールが自動的に送信されてもよい。これらのプログラムは、制御部１０内蔵のメモリ（ＲＯＭ）に記憶されていてもよい。記憶部１１には、制御部１０の処理によって収集された情報、イベントログ等の情報が記憶される。記憶部１１に記憶された情報は、通信デバイス１の筐体に端子が露出するＵＳＢ等の通信インタフェースを介して読み出すことも可能である。
【００３１】
第１通信部１２は、通信デバイス１が接続されている監視対象装置との通信を実現する通信インタフェースである。第１通信部１２は例えば、ＲＳ−２３２Ｃ又はＲＳ−４８５等のシリアル通信インタフェースを用いる。例えばパワーコンディショナＰはＲＳ−４８５に準拠したシリアル通信機能を有する制御ユニットを備えており、第１通信部１２はその制御ユニットと通信する。蓄電モジュール群Ｌに備えられている制御基板がＣＡＮ（Controller Area Network）バスにより接続されて制御基板間の通信をＣＡＮ通信で実現する場合、第１通信部１２はＣＡＮプロトコルに基づく通信インタフェースである。第１通信部１２は、ECHONET ／ECHONETLite の規格に対応する通信インタフェースであってもよい。
【００３２】
第２通信部１３は、ネットワークＮを介した通信を実現するインタフェースであり、例えばEthernet（登録商標）、又は無線通信用アンテナ等の通信インタフェースを用いる。制御部１０は、第２通信部１３を介してサーバ装置２又はクライアント装置３と通信接続が可能である。第２通信部１３が、ECHONET ／ECHONETLite の規格に対応する通信インタフェースであってもよい。
【００３３】
このように構成される通信デバイス１では、制御部１０が第１通信部１２を介して、通信デバイス１が接続されている装置にて得られる状態情報を含む情報を取得する（「取得部」に相当）。制御部１０は、Ｗｅｂサーバ用プログラムを読み出して実行することによって、Ｗｅｂサーバとしてサーバ装置２又はクライアント装置３からの通信接続を受け、情報を提示することも可能である。制御部１０は、ＳＳＨにより遠隔からシャットダウンの機能を受けることが可能である。制御部１０は、ＳＮＭＰ用プログラムを読み出して実行することにより、ＳＮＭＰエージェントとして機能し、サーバ装置２からの情報要求に対して応答することも可能である。
【００３４】
サーバ装置２はサーバコンピュータを用い、制御部２０、記憶部２１、及び通信部２２を備える。本実施の形態においてサーバ装置２は、１台のサーバコンピュータとして説明するが、複数のサーバコンピュータで処理を分散させてもよい。
【００３５】
制御部２０は、ＣＰＵを用いたプロセッサであり、内蔵するＲＯＭ及びＲＡＭ等のメモリを用い、各構成部を制御して処理を実行する。制御部２０は、記憶部２１に記憶されているサーバプログラム２Ｐに基づく情報処理を実行する。サーバプログラム２ＰにはＷｅｂサーバプログラムが含まれ、制御部２０は、クライアント装置３へのＷｅｂページの提供、Ｗｅｂサービスへのログインの受け付け等を実行するＷｅｂサーバとして機能する。制御部２０は、サーバプログラム２Ｐに基づき、ＳＮＭＰ用サーバとして通信デバイス１から情報を収集することも可能である。
【００３６】
記憶部２１は、例えばハードディスク又はフラッシュメモリ等の不揮発性メモリを用いる。記憶部２１には、上述したサーバプログラム２Ｐが記憶されているほか、制御部２０の処理によって収集される監視対象となる蓄電システム１０１のパワーコンディショナＰ及び蓄電モジュール群Ｌの状態情報を含む情報を記憶する。サーバプログラム２Ｐは、記録媒体５に記憶してあるサーバプログラム５Ｐを読み出して記憶部２１に複製したものであってもよい。
【００３７】
通信部２２は、ネットワークＮを介した通信接続及び情報の送受信を実現する通信デバイスである。具体的には通信部２２はネットワークＮに対応したネットワークカードである。
【００３８】
クライアント装置３は、発電システムＳ，Ｆ，Ｗの蓄電システム１０１の管理者又は保守担当者等のオペレータが使用するコンピュータである。クライアント装置３は、デスクトップ型若しくはラップトップ型のパーソナルコンピュータであってもよいし、所謂スマートフォン又はタブレット型の通信端末であってもよい。クライアント装置３は、制御部３０、記憶部３１、通信部３２、表示部３３、及び操作部３４を備える。
【００３９】
制御部３０は、ＣＰＵを用いたプロセッサである。制御部３０は、記憶部３１に記憶されているＷｅｂブラウザを含むクライアントプログラム３Ｐに基づき、サーバ装置２又は通信デバイス１により提供されるＷｅｂページを表示部３３に表示させる。
【００４０】
記憶部３１は、例えばハードディスク又はフラッシュメモリ等の不揮発性メモリを用いる。記憶部３１には、クライアントプログラム３Ｐを含む各種プログラムが記憶されている。クライアントプログラム３Ｐは、記録媒体６に記憶してあるクライアントプログラム６Ｐを読み出して記憶部１１に複製したものであってもよい。
【００４１】
通信部３２は、有線通信用のネットワークカード等の通信デバイス、基地局ＢＳ（図１参照）に接続する移動通信用の無線通信デバイス、又はアクセスポイントＡＰへの接続に対応する無線通信デバイスを用いる。制御部３０は通信部３２により、ネットワークＮを介してサーバ装置２又は通信デバイス１との間で通信接続又は情報の送受信が可能である。
【００４２】
表示部３３は、液晶ディスプレイ、有機ＥＬ（Electro Luminescence）ディスプレイ等のディスプレイを用いる。表示部３３は制御部３０のクライアントプログラム３Ｐに基づく処理により、サーバ装置２で提供されるＷｅｂページのイメージを表示する。表示部３３は、好ましくはタッチパネル内蔵型ディスプレイであるが、タッチパネル非内蔵型ディスプレイであってもよい。
【００４３】
操作部３４は、制御部３０との間で入出力が可能なキーボード及びポインティングデバイス、若しくは音声入力部等のユーザインタフェースである。操作部３４は、表示部３３のタッチパネル、又は筐体に設けられた物理ボタンを用いてもよい。操作部３４は、ユーザによる操作情報を制御部２０へ通知する。
【００４４】
このように構成される遠隔監視システム１００は、サーバ装置２にて、パワーコンディショナＰ、蓄電モジュール群Ｌ（後述の管理装置Ｍ）、無停電電源装置Ｕ、及び整流器Ｄの状態を含む様々な情報を通信デバイス１から定期的に、又はクライアント装置３からの要求に応じて取得し、記憶部２１に記憶する。記憶部２１には、情報の取得先の装置（Ｐ，Ｍ，Ｕ，Ｄ）を識別する情報及び取得した時間情報が対応付けて記憶される。記憶部２１に記憶してある最新の情報及びその履歴は、クライアント装置３からＷｅｂページで取得又はデータとして取得（ダウンロード）できるようにサーバ装置２が処理する。サーバ装置２は、通信デバイス１を用いて蓄電素子若しくは各電源関連装置から取得した情報を総合的に、クライアント装置３へ提示することができる。
【００４５】
蓄電モジュール群Ｌは階層構造を有している。図３は、蓄電モジュール群Ｌの階層構造及び通信デバイス１の接続形態の一例を示す図である。蓄電モジュール群Ｌは、例えば蓄電セル（セルとも称する）を複数直列に接続した蓄電モジュール（モジュールとも称する）と、蓄電モジュールを複数直列に接続したバンクと、バンクを複数並列に接続したドメインとの階層構造にて構成されている。図３の例では、番号（＃）１−Ｎのバンク夫々と、バンクを並列に接続したドメインとに１つずつ、管理装置Ｍが設けられている。バンク毎に設けられている管理装置Ｍは、蓄電モジュールの内部に夫々内蔵されている通信機能付きの制御基板（ＣＭＵ：Cell Monitoring Unit）とシリアル通信によって通信し、蓄電モジュール及び内部のセルの状態（電流、電圧、温度）の取得、各々の状態に応じたバンク毎のバランス調整、通信状態の異常の検知等の管理処理を実行する。バンクの管理装置Ｍは夫々、ドメイン単位で設けられている管理装置Ｍへ各々のバンクの蓄電モジュールの情報を送信する。ドメインの管理装置Ｍは、そのドメインに所属するバンクの管理装置Ｍから得られる情報を集約する。図３の例では通信デバイス１は、ドメイン単位の管理装置Ｍに接続されている。
【００４６】
図４は、蓄電モジュール群Ｌの階層構造及び通信デバイス１の接続形態の他の一例を示す図である。図４の例では、蓄電モジュール群Ｌは、蓄電モジュールを複数直列に接続したバンク１つのみで構成されている（スタンドアロン）。図４の例では通信デバイス１は、バンク単位の管理装置Ｍのみに接続されている。
【００４７】
図５は、通信デバイス１の接続形態の他の一例を示す図である。図５では説明を容易にするべく、１つのドメイン内に用いられている複数の通信デバイス１を、通信デバイス１ａ，１ｂ，１ｃ，…１ｎと識別可能に符号を付している。図５における蓄電モジュール群Ｌの階層構造は図３と同じである。通信デバイス１ａが、ドメイン単位の管理装置Ｍに接続されている。通信デバイス１ｂは１番目（＃１）のバンクの管理装置Ｍに接続されており、通信デバイス１ｃは２番目（＃２）のバンクの管理装置Ｍに接続されている。複数の通信デバイス１は、ドメインの数、及びバンクの数分だけ用いられている。
【００４８】
図３−図５に示したように、蓄電モジュール群Ｌにおける蓄電素子の階層構造、及び、通信デバイス１の接続形態は、蓄電素子の用途、ロケーション等によって多様である。サーバ装置２は、多様な階層構造及び接続形態に合わせて自動的に、通信デバイス１から収集される蓄電素子又は電源関連装置の状態を含む情報を、階層構造化して提示する。このために、以下のような処理が行なわれる。
【００４９】
図６は、通信デバイス１での設定受付手順の一例を示すフローチャートである。通信デバイス１は初期的に、設置される場所にて制御部１０に対する入出力インタフェースに、モニタ及びキーボードを接続して以下の設定を受け付ける。遠隔操作によって通信デバイス１の設定が行なわれてもよい。
【００５０】
制御部１０は、サーバ装置２又はクライアント装置３との通信を実施するための自身の通信設定を受け付ける（ステップＳ１０１）。具体的には、通信デバイス１自体のＩＰアドレス（IPv4及びIPv6）、ゲートウェイ、ＤＮＳアドレス、グローバルアドレス、サーバ装置２のグローバルアドレス等のネットワーク情報を受け付ける。制御部１０はこれらの情報を記憶部１１又は内蔵メモリに記憶しておき、第２通信部１３はこれを元にネットワークＮに接続する。
【００５１】
通信デバイス１の制御部１０は、蓄電素子の階層構造におけるいずれの階層の管理装置Ｍに接続されているか（下層有無）の設定を受け付ける（ステップＳ１０２）。ステップＳ１０２にて制御部１０は、ドメインの管理装置Ｍに接続されているのか、バンクの管理装置Ｍに接続されているのかの選択を受け付ける。バンクの管理装置Ｍに接続されている場合、上位のドメインが存在するケースでは、バンクがいずれのドメインに属しているかの設定を受け付けるとよい。
【００５２】
制御部１０は、他の通信デバイス１との関係の設定を受け付ける（ステップＳ１０３）。ステップＳ１０３にて具体的に制御部１０は、自身が接続している管理装置Ｍがカバーする蓄電素子の階層構造（図３−図５）における下位層の管理装置Ｍに、他の通信デバイス１が接続されているか否かの設定を受け付ける。代替的に、上位層の管理装置Ｍに他の通信デバイス１が接続されているかの設定を受け付けてもよい。詳細には制御部１０は、自身が接続している管理装置Ｍがドメインに対応する場合、下層のバンクの管理装置Ｍに通信デバイス１が接続されているか否かの設定を受け付ける。
【００５３】
制御部１０は、接続されている管理装置Ｍがカバーする蓄電素子及び該蓄電素子を含むシステムを識別するための識別情報の設定を受け付ける（ステップＳ１０４）。識別情報は、システムが設置されている場所を識別するためのロケーションＩＤ（識別番号、記号又は名前）、同一場所内で蓄電モジュール群Ｌの単位を識別するためのマイナＩＤ（識別番号、記号、又は名前）であってもよい。ロケーションＩＤ及びマイナＩＤは、サーバ装置２にて発行されるものであるとよい。
【００５４】
制御部１０は、ステップＳ１０１−Ｓ１０４で受け付けた設定に基づき、ネットワーク情報、階層構造、接続関係、識別情報を含む設定情報を記憶部１１又は内蔵メモリに記憶し（ステップＳ１０５）、処理を終了する。
【００５５】
図６のフローチャートに示した処理手順では、各通信デバイス１にて通信設定、接続関係の設定を受け付ける構成としたが、通信デバイス１が接続関係を自動検知して設定してもよい。蓄電システム１０１内でＣＡＮ接続により相互に通信を行なう場合、いずれかをマスタとして設定し、通信デバイス１間で接続構成に合わせた階層構造のデータを作成して送信するとよい。
【００５６】
図７は、通信デバイス１で記憶される設定情報の内容例を示す図である。図７Ａは、図３の接続形態における通信デバイス１に記憶されている設定情報を示している。図７Ａに示す例では、通信デバイス１は、複数のバンクを含むドメインにおける管理装置Ｍのみに接続されている。したがって接続管理装置（接続されている管理装置Ｍの階層）として、「ドメイン」及びドメインの識別番号が設定されており、他の通信デバイス１との関係としては、「下層なし」（下層即ちバンクの管理装置Ｍには他の通信デバイス１は存在していない）が設定されている。図７Ａに示す例では識別情報として、ロケーションＩＤ及びマイナＩＤが設定されている。
【００５７】
図７Ｂは、図４の接続形態における通信デバイス１に記憶されている設定情報を示している。図７Ｂに示す例では、通信デバイス１は、１つのバンクにおける管理装置Ｍのみに接続されている。したがって接続管理装置として、「バンク」が設定されている。同一の設置場所に他のバンクが存在することを考慮して、バンクの識別番号が共に設定されていてもよい。他の通信デバイス１との関係としては、「下層なし」（下層即ちモジュールには管理装置Ｍ及び他の通信デバイス１は存在していない）が設定されている。図７Ｂに示す例では識別情報として、ロケーションＩＤ及びマイナＩＤが設定されている。
【００５８】
図８は、通信デバイス１で記憶される設定情報の他の内容例を示す図である。図８Ａは、図５の接続形態におけるドメインの管理装置Ｍに接続されている通信デバイス１ａに記憶されている設定情報を示している。図８Ａ及び図８Ｂに対応する図５の接続形態では、複数の通信デバイス１ａ−１ｎが階層構造で接続されている。図５におけるドメインの管理装置Ｍに接続されている通信デバイス１ａでは、図８Ａに示すように、接続管理装置として「ドメイン」が設定されており、その「ドメイン」の識別番号が設定されている。通信デバイス１ａでは、他の通信デバイス１との関係としては、「下層あり」（下層即ちバンクの管理装置Ｍに他の通信デバイス１ｂ−１ｎが存在する）が設定されている。
【００５９】
図８Ｂは、バンク（＃２）の管理装置Ｍに接続されている通信デバイス１ｃに記憶されている設定情報を示している。他のバンクの通信デバイス１ｂ，…，１ｎにおける設定情報は図８Ｂと同様であるので説明を省略する。図５におけるバンク（＃２）の管理装置Ｍに接続されている通信デバイス１ｃでは、図８Ｂに示すように、接続管理装置として「バンク」が設定されており、その「バンク」の識別番号（＃２）が設定されている。バンクが所属しているドメインの識別番号（＃１）も設定されている。通信デバイス１ｃでは、他の通信デバイス１との関係としては、「下層なし」（下層即ち蓄電モジュールには管理装置Ｍ及び他の通信デバイス１は存在していない）が設定されている。
【００６０】
図７及び図８に例示した設定情報に基づく各通信デバイスにおける処理手順について説明する。図９は、各通信デバイス１の情報の送信手順の一例を示すフローチャートである。通信デバイス１の制御部１０は、起動している間は継続して以下の処理手順を繰り返す。
【００６１】
制御部１０は、状態を取得するための所定タイミングであるか否かを判断する（ステップＳ２０１）。所定タイミングとは、周期時間経過、記憶部１１に記憶している情報（所定単位）の数、情報の量が、所定の設定時間若しくは数量に達したか、又は管理装置Ｍからの通知があったか等である。所定タイミングでないと判断された場合（Ｓ２０１：ＮＯ）、所定タイミングであると判断されるまで待機する。
【００６２】
制御部１０は、所定タイミングであると判断された場合（Ｓ２０１：ＹＥＳ）、接続している管理装置Ｍにて取得される蓄電モジュール群Ｌにおける蓄電素子の状態の情報を、管理装置Ｍから取得する（ステップＳ２０２）。制御部１０は、取得した情報を時間情報と共に記憶部１１に記憶する（ステップＳ２０３）。
【００６３】
制御部１０は、設定情報を参照し（ステップＳ２０４）、下層に他の通信デバイス１が存在する（下層あり）か否かを判断する（ステップＳ２０５）。下層に他の通信デバイス１が存在すると判断された場合（Ｓ２０５：ＹＥＳ）、制御部１０は、設定情報が示す接続管理装置の階層における状態を記述したデータを、ステップＳ２０２で取得した情報に基づき作成する（ステップＳ２０６、「作成部」に相当）。ステップＳ２０６は管理装置Ｍにて実行されてもよい。ステップＳ２０６で作成されるデータは、管理装置Ｍにて電流、電圧、温度の平均を算出するなど演算が実行された階層毎の状態情報及び時間情報を含む。データの形式はテキストデータファイル、表計算アプリケーションプログラムで扱われるＣＳＶファイル等である。情報を時系列に示すグラフ、又は該グラフを画像化したデータファイルであってもよい。制御部１０は、作成したデータを、設定情報が示す接続管理装置の階層に対応するフォルダとして記憶部１１又は内蔵ＲＡＭに一時的に記憶する（ステップＳ２０７）。フォルダとして記憶する処理は、取得した状態情報及び作成した状態情報を記述した複数のデータファイルを、接続している階層に対応する同一ディレクトリ名（又はパス名）を付与することを含む。ステップＳ２０５の処理は上層に他の通信デバイス１が存在するか否かを判断してもよい。
【００６４】
制御部１０は、作成したデータの送信タイミングであるか否かを判断する（ステップＳ２０８）。ステップＳ２０８における送信タイミングの判断は、ステップＳ２０１同様に周期時間経過、記憶部１１に記憶している情報数、情報量が、所定の設定時間若しくは数量に達したか、又は、サーバ装置２から問い合わせがあったか等である。
【００６５】
ステップＳ２０８で送信タイミングであると判断された場合（Ｓ２０８：ＹＥＳ）、制御部１０は、記憶部１１又は内蔵ＲＡＭに記憶してあるフォルダを圧縮処理する（ステップＳ２０９）。制御部１０は、ステップＳ２０４で参照した設定情報に含まれる自装置（通信デバイス１）の接続管理装置及び識別情報を対応付けて、圧縮処理後のフォルダを、設定情報に含まれるサーバ装置２のグローバルアドレスに基づいてサーバ装置２へ送信する（ステップＳ２１０、「送信部」に相当）。制御部１０は処理を終了し、再度ステップＳ２０１以降の処理が開始される。
【００６６】
ステップＳ２０８にて送信タイミングでないと判断された場合（Ｓ２０８：ＮＯ）、制御部１０はそのまま処理を終了し、再度ステップＳ２０１からの処理が開始される。
【００６７】
ステップＳ２０５にて、他の通信デバイス１が存在しない（下層なし）と判断された場合（Ｓ２０５：ＮＯ）、制御部１０は、設定情報が示す接続管理装置の階層における状態を記述したデータを、ステップＳ２０２で取得した情報に基づき作成する（ステップＳ２１１）。制御部１０は、下層の管理装置Ｍから下層における状態を取得し（ステップＳ２１２）、下層における状態を記述したデータを作成する（ステップＳ２１３）。ステップＳ２１１及びＳ２１３は管理装置Ｍにて実行されてもよい。ステップＳ２１１，Ｓ２１３で作成されるデータは、各階層での電流、電圧、温度の平均を算出するなど演算が実行された階層毎の状態情報及び時間情報を含む。データの形式はテキストデータファイル、表計算に係るＣＳＶファイル等である。情報を時系列に示すグラフ、又は該グラフを画像化したデータファイルであってもよい。
【００６８】
制御部１０は、各管理装置Ｍから取得した状態情報、ステップＳ２１３で作成されたデータを下位層に対応するサブフォルダ内に含み、ステップＳ２１１で作成されたデータを含む階層状のフォルダとして記憶部１１又は内蔵ＲＡＭに記憶する（ステップＳ２１４）。制御部１０は処理をステップＳ２０８へ進める。
【００６９】
図１０及び図１１は、サーバ装置２へ送信されるデータの内容例を示す図である。図１０及び図１１に示すデータの階層構造は、図３−図５夫々に示した蓄電素子の階層構造及び通信デバイス１の接続形態に対応し、図９のフローチャートに示した処理手順により作成されるフォルダ、圧縮処理されるフォルダを模式的に示している。
【００７０】
図１０Ａは、図３に示したドメイン及びバンクを含む蓄電素子の階層構造と、ドメインの管理装置Ｍのみに接続している通信デバイス１の接続形態に対応している。１つのドメインに複数のバンクが含まれる階層構造において、ドメインの管理装置Ｍのみに通信デバイス１が接続されている。この場合、通信デバイス１が各層の管理装置Ｍから得られる情報を含むデータファイルを、図１０Ａに示すように階層化されたデータ構造のサブフォルダに収容したフォルダＦＡを作成する。通信デバイス１は、サーバ装置２へデータを送信するに際し、フォルダＦＡを圧縮処理したフォルダＺＦＡを作成して送信する。
【００７１】
図１０Ｂは、図４に示した単一のバンクの蓄電素子の階層構造と、当該バンクの管理装置Ｍのみに接続している通信デバイス１の接続形態に対応している。１つのバンクのみの階層構造において、そのバンクの管理装置Ｍのみに通信デバイス１が接続されている。この場合、通信デバイス１が、各蓄電モジュールの制御基板によって得られるデータを管理装置Ｍから取得し、図１０Ｂに示すように階層化されたデータ構造のサブフォルダに収容したフォルダＦＢを作成する。通信デバイス１は、サーバ装置２へデータを送信するに際し、フォルダＦＢを圧縮処理したフォルダＺＦＢを作成して送信する。
【００７２】
図１１は、図５に示したドメイン及びバンクを含む蓄電素子の階層構造と、ドメイン及びバンク夫々の管理装置Ｍに接続している複数の通信デバイス１の接続形態に対応している。ドメインの管理装置Ｍ及びバンクの管理装置Ｍ夫々に通信デバイス１が接続されている。通信デバイス１の内、ドメインに接続されている通信デバイス１ａは、制御部１０が下層ありと判断するので、下層の状態は取得せず、設定情報（図８Ａ）が示す接続管理装置の階層の状態を記述したデータを収容したフォルダＦＣａを作成する。フォルダＦＣａは、下層の状態のデータを含むサブフォルダを含まない。バンクに接続されている通信デバイス１ｂ，１ｃ，…，１ｎは、制御部１０が下層なしと判断し、設定情報（図８Ｂ）が示す接続管理装置の階層の状態を記述したデータ、及び複数の蓄電モジュール夫々のデータを含むフォルダを階層的に含むフォルダＦＣｂ，ＦＣｃ，…，ＦＣｎを夫々作成する。各通信デバイス１ａ，１ｂ，１ｃ，…，１ｎは、作成したフォルダを圧縮処理したフォルダＺＦＣａ，ＺＦＣｂ，ＺＦＣｃ，…，ＺＦＣｎを作成してサーバ装置２へ送信する。
【００７３】
図１２は、サーバ装置２におけるデータ取得手順の一例を示すフローチャートである。サーバ装置２では、制御部２０が通信デバイス１から送信されるデータ（フォルダ）を受信する（ステップＳ３０１）。制御部２０は、受信したデータに対応付けられている接続管理装置及び識別情報に基づき、階層構造の上下に相当する他のデータ（フォルダ）が記憶部２１に記憶されているか否かを判断する（ステップＳ３０２）。ステップＳ３０２にて制御部２０は例えば、同一のロケーションＩＤ及びマイナＩＤを有しているドメイン及びバンクを夫々接続管理装置とする通信デバイス１からのデータ（フォルダ）を受信した場合、相互に上下に相当すると判断する。
【００７４】
ステップＳ３０２にて他のデータが既に記憶部２１に記憶されていると判断された場合（Ｓ３０２：ＹＥＳ）、制御部２０は、対応する他のデータ（フォルダ）と、ステップＳ３０１で受信したデータとを階層構造として記憶部２１におけるデータを更新し（ステップＳ３０３）、処理を終了する。
【００７５】
ステップＳ３０２にて他のデータが記憶されていないと判断された場合（Ｓ３０２：ＮＯ）、制御部２０は、受信したデータを記憶部２１に記憶し（ステップＳ３０４）、処理を終了する。
【００７６】
図１３は、サーバ装置２におけるデータ取得の具体例を示す図である。図１３に示す例は、図５に示した蓄電素子の階層構造及び複数の通信デバイス１の接続形態に対応しており、サーバ装置２は、図１１に示したように通信デバイス１ａ，１ｂ，１ｃ，…１ｎから夫々圧縮処理して送信されるフォルダＺＦＣａ，ＺＦＣｂ，ＺＦＣｃ，…，ＺＦＣｎを受信する。サーバ装置２の制御部２０は、通信デバイス１ａから受信するフォルダＺＦＣａを受信するに際し、対応するロケーションＩＤ「12345 」、マイナＩＤ「(000001)１系」、接続管理装置がドメインであってその識別番号が「１」である識別情報及び接続管理装置の情報を受信する。制御部２０は、通信デバイス１ｂ，１ｃ，…等から受信するフォルダＺＦＣｂ，ＺＦＣｃ，…等を受信するに際し、対応するロケーションＩＤ「12345 」（識別番号）、マイナＩＤ「(000001)１系」（識別番号と名称）、接続管理装置がバンクであること及びその識別番号である識別情報及び接続管理装置の情報を受信する。
【００７７】
サーバ装置２の制御部２０は、ロケーションＩＤ及びマイナＩＤが同一であり、一方の接続管理装置がドメイン、他方の接続管理装置がバンクであることを認識することができ、階層の上下に相当するデータが記憶されていると判断する（Ｓ３０２：ＹＥＳ）。制御部２０は、バンクに対応するフォルダＺＦＣｂ，ＺＦＣｃ，…を解凍したフォルダＦＣｂ，ＦＣｃ，…を、解凍済みのドメインに対応するフォルダＦＣａ内に階層化（ディレクトリ名又はパス名を再決定）して、記憶部２１に保存（更新）する（Ｓ３０３）。
【００７８】
サーバ装置２の制御部２０は、ロケーションＩＤが同一（又はマイナＩＤ、後述のグループＩＤも同一）であって夫々識別番号が異なるドメインに相当するフォルダを複数受信した場合、同一のシステム内に含まれる複数のドメインのデータであると認識することが可能である。
【００７９】
このように、各階層に通信デバイス１が存在する場合、上位層の通信デバイス１は下位層のデータを重複して送信しないようにしつつも、サーバ装置２にて相互に上下の階層に相当するデータであることを認識することができる。サーバ装置２は、ドメインに１つの通信デバイス１が接続されている構成と同様に、各階層の管理装置Ｍから得られる状態情報を含むデータを、蓄電素子の階層構造に合わせたデータ構造にて記憶することができる。
【００８０】
図１４−図１９は、サーバ装置２により提示される画面例を示す図である。遠隔監視システム１００を利用するべくユーザ（オペレータ）がクライアント装置３を用い、サーバ装置２のＷｅｂサーバから提供されるログイン画面を介してログインを行なう。クライアント装置３ではサーバ装置２から送信される画面情報に基づき、ログイン情報により抽出されたシステム又は装置の名称の一覧を含むＷｅｂ画面３３０を図１４に示すように表示部３３に表示させる。図１４の例であれば、図１に示したメガソーラー発電システムＳの「ＸＹ市メガソーラーシステム」、火力発電所システムＦの「ＷＺ発電所システム」等の名称が夫々、識別情報（ロケーションＩＤ）と共にリンクとして表示されている。
【００８１】
サーバ装置２から提供されるＷｅｂ画面３３０には、「システム検索」、「寿命予測」、「ダウンロード」、「レポート」等のメニュー３３１が含まれる。メニュー３３１には「新規登録」、及び「編集」が含まれる。Ｗｅｂ画面３３０には、ログアウト又は終了操作のためのボタン３３２が含まれている。
【００８２】
図１４のＷｅｂ画面３３０にて「新規登録」又は「編集」を選択することにより、新規に登録するシステム又は選択されているシステムに含まれる蓄電素子の階層構造、これらの蓄電素子又は電源関連装置に接続されている通信デバイス１の接続形態の設定、ネットワーク設定等を手動で行なうことが可能である。上述したように、蓄電モジュール群Ｌにおける通信デバイス１の設置場所にて、図６のフローチャートに示した手順さえ行なっておけば、これらの「新規登録」又は「編集」で設定作業を行なわずとも、蓄電素子の階層構造に応じた情報提示を自動的に行なうことが可能である。
【００８３】
図１５及び図１６は、システム毎に情報が一括して表示される画面例を示す図である。図１５及び図１６は、サーバ装置２が、通信デバイス１から得られるデータに基づき、蓄電モジュール群Ｌの階層構造を自動的に認識して表示するステップＳ２０６により表示される画面例である。具体的には、図１５は、図１４に表示されたＷｅｂ画面３３０で多数の蓄電モジュール群Ｌが使用されている「ＸＹ市メガソーラーシステム」（ロケーションＩＤ：12345 ）がクライアント装置３の操作部３４の操作により選択された場合に表示部３３に表示される画面である。図１５の画面例では、「ＸＹ市メガソーラーシステム」が用いている蓄電システム１０１のシステム構成に合わせ、複数のバンクを夫々含む複数のドメインから構成された蓄電モジュール群Ｌ夫々を識別する名称（識別番号）を含むアイコン３３３が表示されている。蓄電モジュール群Ｌについてはその階層構造を展開するための「＋」アイコン３３４と、各々の詳細情報を表示するためのアイコン３３５と、詳細情報（リアルタイム）を表示させるためのアイコン３３６とが配置されている。アイコン３３６は、蓄電モジュール群Ｌに接続されている通信デバイス１の識別情報（デバイスＩＤ）と共に配置されている。
【００８４】
図１６は、図１５の蓄電モジュール群Ｌについての階層構造を展開するためのアイコン３３４が選択された場合に表示される画面例である。「ＸＹ市メガソーラーシステム」の蓄電システム１０１は、図３又は図５に示したように、各々ｎ個（ｎは自然数。本実施形態では１２個）のセルを含むモジュールを複数直列させたバンクを、複数並列に持つドメインを複数有する構成の蓄電モジュール群Ｌを持っている。図１６に示すように、ドメインの１つに対応するアイコン３３４が選択されると、該ドメインに所属するバンクに対応するリストが展開される。同様に１つのバンクに対応するアイコン３３４が選択されると、該バンクに所属する蓄電モジュールのリストが展開される。蓄電モジュールは各々ｎ個のセルを含んでおり、クライアント装置３の操作部３４の操作により、画面３３０上で蓄電モジュールの１つが選択されると該モジュールに含まれるセルのリスト（イメージ）が展開される。この階層構造は、図１３に示したように通信デバイス１から得られる階層化済みのデータによりサーバ装置２にて認識される。図１６では、詳細情報を取得するためのアイコン３３６は、通信デバイス１が搭載／接続されている管理装置Ｍに対応する階層に配置されている。アイコン３３６の配置例は、図１６には限らない。通信デバイス１がドメインの管理装置Ｍのみに接続されている場合（図３）、ドメインのみにアイコン３３６が配置される。
【００８５】
図１７は、詳細情報の表示例を示す図である。図１７は、図１６中の蓄電モジュール群Ｌのドメインに対応する階層のアイコン３３５が選択された場合に表示されるページの一例である。図１７では「ドメイン情報」として、ドメインの状態（正常／異常）、ドメインに含まれるバンクの数（総バンク数）、全バンク中で稼働しているバンクの数（稼働バンク数）、そのドメインの総電圧、電流、セル電圧、ＳＯＣ、温度の分布（最高値、平均値、及び最低値）を表示している。これらの情報は、ドメインの管理装置Ｍ又は該管理装置Ｍに接続されている通信デバイス１により作成された階層毎の状態情報のデータに基づき表示される。「データ日時」も表示部３３におけるＷｅｂ画面３３０に表示されている。「データ日時」は通信デバイス１により作成された階層毎のデータに含まれる時間情報に基づく。「ドメイン情報」には、そのドメインに含まれるバンクの詳細情報へのリンクがバンクの数分、含まれている。
【００８６】
図１８は、詳細情報の表示例を示す図である。図１８は、図１６中のバンクに対応する階層のアイコン３３５が選択された場合に表示されるページの一例である。図１７中でバンクの詳細情報へのリンクが選択された場合にもこのページが表示される。図１８では「バンク情報」として、バンクの状態（正常／異常）、バンクに含まれるモジュールの数（モジュール数）、そのバンクの総電圧、電流値及びＳＯＣ、バンクに含まれる電圧及び温度の分布を表示している。これらの情報は、バンクの管理装置Ｍ又は該管理装置Ｍに接続されている通信デバイス１により作成された階層毎の状態情報のデータに基づき表示される。「データ日時」も表示部３３におけるＷｅｂ画面３３０に表示されている。「バンク情報」には、そのバンクに含まれる蓄電モジュールの詳細情報へのリンクが、モジュールの数分、含まれている。
【００８７】
図１９は、詳細情報の表示例を示す図である。図１９は、図１６中のモジュールに対応する階層のアイコン３３５が選択された場合に表示されるページの一例である。図１８中でモジュールの詳細情報へのリンクがクライアント装置３の操作部３４の操作により選択された場合にもこのページが表示される。図１９では「モジュール情報」として、蓄電モジュールに含まれる各セルの電圧、及び２つのセル群に設けられている温度センサの出力が表示されている。図１９にて表示される情報は、蓄電モジュール内の管理装置Ｍを介して通信デバイス１にて取得されたデータに基づく。
【００８８】
図１７から図１９に表示された蓄電モジュール群Ｌの階層毎のページの画面は例示であって、例えばドメインとして集約されておらず、蓄電モジュール群Ｌが複数のバンクが並列して構成されているといった場合（図４に示すバンクが複数）は、最上位層はバンクとして表示される。蓄電モジュール群Ｌが、１つのバンク即ち、直列に例えば１６個接続された蓄電モジュールで構成されているのみであれば（図４）、対応する通信デバイス１から得られるモジュール情報（図１８）のみが表示される。
【００８９】
このようにして、通信デバイス１にて、蓄電素子の階層構造及び他の通信デバイス１との接続形態に応じてデータを階層化してサーバ装置２へ送信することにより、図１４−図１９に示した階層構造に応じた情報提示を、サーバ装置２にて手作業による設定を行なわずとも可能になる。
【００９０】
図１４のＷｅｂ画面３３０にて「編集」を選択することにより、選択されているシステムに含まれる蓄電素子の階層構造、これらの蓄電素子又は電源関連装置に接続されている通信デバイス１の接続形態、ネットワーク設定等を手動で行なうことが可能である。サーバ装置２にて認識した階層構造に誤りがあった場合、又は提示する形式を変更したい場合には、「編集」の選択によってユーザ（オペレータ）の意図する情報提示をすることも可能である。「編集」には、蓄電素子又は電源関連装置のグループ化を設定する機能が含まれてもよい。図１５に示したように多数の蓄電モジュール群Ｌが含まれる蓄電システム１０１等では、特定の蓄電モジュール群Ｌのみを表示したり、レポート、寿命予測の取得対象としたり、例えば蓄電素子の使用開始時期で分別して管理したり等、情報のグループ分けの必要が生じる可能性がある。
【００９１】
図２０は、グループ分けを受け付ける画面例を示す図である。図２０に示すＷｅｂ画面３３０には、第１及び第２選択メニュー３３７，３３８、デバイス選択画面３３９並びに移動ボタン３４０が含まれている。グループ分けを行なう画面では、編集元のグループ（図２０ではデバイス全て）を選択する第１選択メニュー３３７と編集先（移動先）のグループを選択する第２選択メニュー３３８とが含まれている。第２選択メニュー３３８には初期的に、第１のグループと、グループの追加メニューとが選択可能に含まれている。同一のシステム内の通信デバイス１は初期的に全て、第１グループに含まれており、各通信デバイス１の識別情報が第１グループの識別情報（番号）と対応付けて記憶部２１に記憶してある。デバイス選択画面３３９には第１及び第２選択メニュー３３７，３３８で選択されているグループに振り分けられている通信デバイス１の一覧が表示されている。移動ボタン３４０は、デバイス選択画面３３９内で選択された通信デバイス１の移動を受け付ける。新たなグループ分けを行ないたい場合、クライアント装置３の操作部３４の操作により、第２選択メニュー３３８でグループを追加する。第１選択メニュー３３７で選択しているグループの通信デバイス１の内、クライアント装置３の操作部３４の操作により選択された通信デバイス１に対し、当該通信デバイス１を移動ボタン３４０が選択された場合、第２選択メニュー３３８で選択しているグループへ移動することができる。サーバ装置２では、移動した通信デバイス１の識別情報を、移動先のグループの識別情報（番号）を対応付けて記憶部２１に記憶する。
【００９２】
このように通信デバイス１から送信されるデータを階層化しておくことで、サーバ装置２にて自動的に階層化されたデータを得て、蓄電モジュール群Ｌの階層構造に合わせたＷｅｂページをサーバ装置２から提示することができる。非常に多くの蓄電セルを含む大規模な蓄電システムについては、ドメインレベル、バンクレベル、モジュールレベル、セルレベルのように、階層状に（ブレークダウンして）情報が表示されることが好ましい。非常に多くの蓄電セルを含んでいる場合であっても上述したように、蓄電モジュール群Ｌの階層構造についての手動による設定操作を行なう必要がない。
【００９３】
サーバ装置２は、階層構造を持つ蓄電モジュール群Ｌに限らず、パワーコンディショナＰ等の電源関連装置についての情報も提示することが可能である。通信デバイス１は、複数台のパワーコンディショナＰが直列的に接続されている場合、上述のように、いずれか代表となるパワーコンディショナＰの制御ユニットに搭載／接続されている。代表のパワーコンディショナＰに接続されている通信デバイス１は、制御ユニット間の通信により、パワーコンディショナＰが接続されている数と、接続順に応じて各パワーコンディショナＰの状態とを含むデータを作成し、サーバ装置２へ送信する。サーバ装置２はこのデータを受信することにより、パワーコンディショナＰの数、接続形態について自動的に認識して情報を提示することができる。
【００９４】
通信デバイス１から、蓄電素子又は電源関連装置毎の状態を含むデータを、識別情報と対応付けてサーバ装置２へ送信するのみでは、接続形態又は階層構造に合わせたデータ構造を記憶することはできない。この場合、サーバ装置２にて、識別情報どうしの関係性についてオペレータからの設定操作を受けるなどして記憶しておく必要がある。蓄電素子（モジュール又はセル）等が単純に直列に接続されているとしても、接続の順番はサーバ装置２にて、識別番号１、識別番号２、識別番号３、…の順であるなどの情報が記憶されていなければ、接続形態に応じた各蓄電素子の情報の提示はできない。ましてや階層構造の場合、識別番号１に対して下位に識別番号４，５がぶら下がっている、などの設定がされていなければ階層構造を反映した情報の表示は不可能である。これに対し、通信デバイス１は接続形態又は階層構造に応じたデータ構造を既に作成してから送信している。単純に直列接続されている場合であっても、通信デバイス１にて例えば直ぐ上流の通信デバイス１の識別番号、下流の通信デバイス１の識別番号を記憶しておき、これらの情報を基に数珠つなぎとしたデータを送信し、サーバ装置２にてその順番で各蓄電素子又は電源関連装置の直列接続状態を含めたデータの記憶及び情報提示が可能になる。
【００９５】
上述した実施の形態では、ドメイン及びバンクの階層構造を持つ蓄電素子について、階層状の状態の提示を自動的に行なうことについて説明した。無停電電源装置Ｕ、整流器Ｄに含まれる蓄電素子を複数接続させた蓄電モジュール群Ｌを並列に接続する場合も、同様の処理が適用できる。
【００９６】
上述のように開示された実施の形態はすべての点で例示であって、制限的なものではない。本発明の範囲は、特許請求の範囲によって示され、特許請求の範囲と均等の意味および範囲内でのすべての変更が含まれることが意図される。
【符号の説明】
【００９７】
１  通信デバイス
１０  制御部
１１  記憶部
１Ｐ  デバイスプログラム
２  サーバ装置
２０  制御部
２１  記憶部
２Ｐ  サーバプログラム
【図１】
2019213297.tif 000003
【図２】
2019213297.tif 000004
【図３】
2019213297.tif 000005
【図４】
2019213297.tif 000006
【図５】
2019213297.tif 000007
【図６】
2019213297.tif 000008
【図７】
2019213297.tif 000009
【図８】
2019213297.tif 000010
【図９】
2019213297.tif 000011
【図１０】
2019213297.tif 000012
【図１１】
2019213297.tif 000013
【図１２】
2019213297.tif 000014
【図１３】
2019213297.tif 000015
【図１４】
2019213297.tif 000016
【図１５】
2019213297.tif 000017
【図１６】
2019213297.tif 000018
【図１７】
2019213297.tif 000019
【図１８】
2019213297.tif 000020
【図１９】
2019213297.tif 000021
【図２０】
2019213297.tif 000022